(57)【要約】      （修正有）【課題】飛行機型をした飛行機凧であり、空中姿勢が安定して様々な興趣のある飛ばせ方ができるものを提供する。【解決手段】糸で引っ張って上空に揚げる飛行機凧Ａであり、この飛行機凧が、主翼２及び主翼の上面に立設した垂直前翼９と、尾翼３及び尾翼の上面に立設した垂直尾翼８と、主翼の前に出っ張って主翼２と尾翼３を連結する胴体１と、主翼及び尾翼の下面に取り付けられて風を通過させる底絞りの主翼風洞及び尾翼風洞とを有する。【選択図】図１
0003160245.tif 000002
【実用新案登録請求の範囲】
【請求項１】
糸で引っ張って上空に揚げる飛行機凧であり、この飛行機凧が、主翼及び主翼の上面に立設した垂直前翼と、尾翼及び尾翼の上面に立設した垂直尾翼と、主翼の前に出っ張って主翼と尾翼を連結する胴体と、主翼及び尾翼の下面に取り付けられて風を通過させる底絞りの主翼風洞及び尾翼風洞とからなることを特徴とする飛行機凧。
【請求項２】
尾翼風洞の口径が主翼風洞の口径よりも小さく、かつ、尾翼風洞が後絞りになっている請求項１の飛行機凧。
【請求項３】
糸で引っ張って上空に揚げる飛行機凧であり、この飛行機凧が、主翼及び主翼の上面に立設した垂直前翼と、尾翼及び尾翼の上面に立設した垂直尾翼と、主翼の前に出っ張って主翼と尾翼を連結する胴体とからなることを特徴とする飛行機凧。
【請求項４】
胴体の前部に纜が連結されており、この纜に釣り竿又は棒から延ばされる天蚕糸からなる糸が繋がれる請求項１〜３いずれかの飛行機凧。
【考案の詳細な説明】
【技術分野】
【０００１】
本考案は、竹ひごや樹脂の枠に紙やフィルムを貼った翼や胴体を有する模型飛行機を凧のように飛ばす飛行機凧に関するものである。
【背景技術】
【０００２】
模型飛行機といえば、プロペラを捩じったゴム紐の巻き戻しで回転させて飛ばすものや、単に手で空中に投げ飛ばすものがあるが、いずれも飛行時間が短く興趣に欠ける。一方、エンジンやモータを搭載してこれを動力源としてプロペラを回転させ、ラジコンで操縦を制御するものがあるが、高価である上に危険でもある。また、燃料補給や電池の取換え、充電といった面倒さもある。
【０００３】
そこで、下記特許文献１に見られるように、凧の形をした胴体に垂直翼を設け、これに糸を結んで凧のように飛ばす飛行機凧が提案されている。しかし、この先行例のものは、胴体が扇形をしており、垂直翼が胴体の下面にのみ取り付けられているものであるから、姿勢の安定性に欠け、空中で左右に揺れて興趣のある操縦（飛ばし方）ができない。
【先行技術文献】
【特許文献】
【０００４】
【特許文献１】実開平０１−１３８４９６号公報
【考案の概要】
【考案が解決しようとする課題】
【０００５】
本考案が解決しようとする課題は、空中姿勢が安定しており、かつ、様々な飛ばし方ができるようにしたものである。
【課題を解決するための手段】
【０００６】
以上の課題の下、本考案は、請求項１に記載した、糸で引っ張って上空に揚げる飛行機凧であり、この飛行機凧が、主翼及び主翼の上面に立設した垂直前翼と、尾翼及び尾翼の上面に立設した垂直尾翼と、主翼の前に出っ張って主翼と尾翼を連結する胴体と、主翼及び尾翼の下面に取り付けられて風を通過させる底絞りの主翼風洞及び尾翼風洞とからなることを特徴とする飛行機凧を提供するとともに、これにおいて、請求項２に記載した、尾翼風洞の口径が主翼風洞の口径よりも小さく、かつ、尾翼風洞が後絞りになっている構成を提供したものである。
【０００７】
また、本考案は、請求項３に記載した、糸で引っ張って上空に揚げる飛行機凧であり、この飛行機凧が、主翼及び主翼の上面に立設した垂直前翼と、尾翼及び尾翼の上面に立設した垂直尾翼と、主翼の前に出っ張って主翼と尾翼を連結する胴体とからなることを特徴とする飛行機凧を提供する。
【考案の効果】
【０００８】
請求項１の考案によると、形状は実際の飛行機とほぼ同様な形をしており、この点で飛行機凧と呼べるものである。そして、主翼の胴体部には垂直前翼が付いているから、姿勢を安定させる。さらに、主翼風洞及び尾翼風洞が付いているから、これらも姿勢の安定に寄与する。請求項２の構成によると、尾翼風洞の部分で一種のブレーキがかかり、これが更に姿勢の安定に寄与する。請求項３の考案によると、姿勢安定性にはやや欠けるものの、垂直前翼による姿勢も安定性も確保できるし、構造が簡単で、より軽量になる。
【図面の簡単な説明】
【０００９】
【図１】飛行機凧の平面図である。
【図２】飛行機凧の側面図である。
【図３】飛行機凧の全面図である。
【図４】飛行機凧を飛ばす状態の説明図である。
【図５】飛行機凧の他の例を示す平面図である。
【図６】飛行機凧の他の例を示す側面図である。
【考案を実施するための形態】
【００１０】
以下、本考案の実施の形態を図面を参照して説明する。図１は本考案に係る飛行機蛸の平面図、図２は側面図、図３は全面図であるが、この飛行機凧Ａは、実際の飛行機とほぼ同様な形状をしているもので、胴体１の前部に左右に張り出す主翼２と、後部に尾翼３を有しているものである。これにおいて、胴体１、主翼２及び尾翼３は、細い竹ひごや樹脂からなる枠４を有し、この枠４の中にボリエチレンやポリスチレンのフィルム或いは紙（以下、貼材）５を貼ったものである。
【００１１】
これにおいて、胴体１は平面視紡錘形をしており、真ん中に前後に通る薄い竹材等の主骨６を有し、主翼２や尾翼３には同じく竹材等からなる薄い補強材７を適宜間隔で設けて補強している。本例の主翼２及び尾翼３は前端が胴体１から後斜めに張り出しており、後端はやや後斜めか真っ直ぐに張り出している。なお、本例では、主翼２及び尾翼３は水平に張り出しているが、先端側をやや上げた揚角を有するものでもよい。
【００１２】
尾翼３の上面には実際の飛行機と同様な垂直尾翼８が設けられているが、本考案では、主翼２の上面にも垂直前翼９が設けられている点が特徴である。この垂直前翼９は、姿勢の安定に寄与するもので、本考案では欠かせないものであり、上端がアールに形成された方形をしているものである。
【００１３】
また、本考案では、主翼２と尾翼３の下面に前後に貫通した主翼風洞１０と尾翼風洞１１とが設けられている。なお、胴体１の先端から主翼風洞１０と尾翼風洞１１の最低点にかけては竹ひご等の連結材１２が通って補強している。主翼風洞１０及び尾翼風洞１１は風を通過させるものであり、これによって姿勢の安定を更に強化するものである。そして、本例では、尾翼風洞１１の口径は主翼風洞１０の口径よりも小さく（したがって、尾翼風洞１１は主翼風洞１０よりも幅も狭く、丈も短い）、かつ、尾翼風洞１１が後絞りになっている。こうすることで、尾翼風洞１１を通過する風にはブレーキがかかり、姿勢の安定性により寄与する。
【００１４】
本考案の飛行機凧Ａは、以上のような構造を有しているが、そのサイズや重量等は任意であり、特に限定はない。ただ、比較的風邪が弱くても飛ばせ、しかも、鋭敏な操縦制御を発揮できるには、胴体１の全長が９００ｍｍ、主翼２の幅が８００ｍｍ、重量が６０ｇ程度のものが適する。
【００１５】
次に、以上のような飛行機凧Ａの揚げ方（飛ばし方）について説明する。図４はその説明図であるが、胴体１の前部に一本の纜（とも綱）１３を取り付けておき、これに棒（釣り竿がもっとも適する）１４の先に付けた糸１５を結んでおく（糸１５を直接胴体１に連結してもよい）。この場合の糸１５は軽くて風の抵抗が少なく、しかも、強度を有する天蚕糸（てぐす）が適する。そして、操縦者は棒１４を持って糸１５を延ばせば、飛行機凧Ａは風に乗って空中に浮かび上がるが、次のような興趣のある飛ばし方ができる。
【００１６】
［離陸及び着陸］
離陸に際しては、飛行機凧Ａを風に向かって地上に置き、糸１５を伸ばして軽く棒１４を操ると、飛行機凧Ａはゆっくりと上昇する。この場合の上昇速度は風が強いほど早い。着陸に際しては、棒１４を地上に置き、糸１５を手繰りながら風下に向かって歩けば、飛行機凧Ａは徐々に降下してゆっくりと着地する。
【００１７】
［左右旋回］
飛行機凧Ａを空中に揚げた状態で棒１４を左に大きく振ると、機首は左に向かって進み、左旋回をする。一方、棒１４を右に大きく振ると、機首は右に向かって進み、右旋回をする。
【００１８】
［宙返り］
棒１４を左右上下に勢いよく振ると、振る速度や振幅と風力のタイミングが合ったときに飛行機凧Ａは大きな円弧を描いて宙返りする。この技術は比較的難しく、これを上達することに面白みがある。
【００１９】
［急降下］
宙返りを始めたときに糸１５を手前に強く引く。すると、飛行機凧Ａは急降下を始めるが、地上に衝突する前に素早く糸１５を緩めることで、機首は上に向き、再び上昇する。この技術は宙返りよりも更に難しいが、これに上達することに面白みがある。
【００２０】
［安定飛行］
棒１４を地上に置いたままにしておけば、安定した姿勢（水平姿勢）で飛行する。この場合、飛行機凧Ａは軽量であるから、風の抵抗もそれほど受けず、棒１４を足で踏んだり、上に物を置いたりして固定する必要はない。なお、棒１４や糸１５を持ったままでもよい。
【００２１】
図５は飛行機凧Ａの他の例を示す平面図、図６は前面図であるが、本例のものは、主翼２の先端がやや上昇した揚角を有するとともに、上記した主翼風洞１０や尾翼風洞１１を有しないものである。この場合は、姿勢の安定性にやや欠けるものになるが、上記した難度の高い操縦技術である宙返りや急降下も習熟如何では可能になる。本例のものは製作が簡単で、更に軽量になる利点がある。
【符号の説明】
【００２２】
Ａ      飛行機凧
１      胴体
２      主翼
３      尾翼
４      枠
５      貼り材
６      主骨
７      補強材
８      垂直尾翼
９      垂直前翼
１０    主翼風洞
１１    尾翼風洞
１２    連結材
１３    纜
１４    棒
１５    糸
【図１】
0003160245.tif 000003
【図２】
0003160245.tif 000004
【図３】
0003160245.tif 000005
【図４】
0003160245.tif 000006
【図５】
0003160245.tif 000007
【図６】
0003160245.tif 000008